(57)【要約】  【課題】  この発明の課題は、加速度センサーを用いて携帯電話機のバイブレーションを検出し、携帯電話機のマナーモード解除忘れを解決する携帯電話マナーモード検出装置を提供する。  【解決手段】  携帯電話機を設置部に設置することで携帯電話機のマナーモードを検出する携帯電話マナーモード検出装置であって、加速度センサーと、携帯電話機を設置部に設置した場合に前記加速度センサーの出力値から携帯電話機の振動を検出する振動検出手段と、携帯電話機を設置部に設置した時の振動には反応せず、連続したバイブレーションの振動のみを検出して着信を検出する着信検出手段と、着信を検出した場合にスピーカーから振動音で通知する着信通知手段とを備える。【選択図】            図１
2008300896.tif 000002
【特許請求の範囲】
【請求項１】
携帯電話機を設置部に設置することで携帯電話機のマナーモードを検出する携帯電話マナーモード検出装置であって、
加速度センサーと、
携帯電話機を設置部に設置した場合に前記加速度センサーの出力値から携帯電話機の振動を検出する振動検出手段と、
携帯電話機を設置部に設置した時の振動には反応せず、連続したバイブレーションの振動のみを検出して着信を検出する着信検出手段と、
着信を検出した場合にスピーカーから振動音で通知する着信通知手段とを備える、
ことを特徴とする携帯電話マナーモード検出装置。
【請求項２】
前記携帯電話マナーモード検出装置は、
設定手段を更に備え、設定手段は、振動が発生したと判断するために用いる振動検出閾値と、振動音で通知を開始するかを判断するために用いる振動音開始閾値と、振動音を停止するかを判断するために用いる振動音停止閾値とを外部からそれぞれの閾値を変更可能にして設定する、
ことを特徴とする請求項１記載の携帯電話マナーモード検出装置。
【請求項３】
前記設定手段は、スピーカーから出力する複数のメロディーの中から何れかのメロディーを外部から設定する、
ことを特徴とする請求項２記載の携帯電話マナーモード検出装置。
【発明の詳細な説明】
【技術分野】
【０００１】
この発明は、加速度センサーを用いて携帯電話機のバイブレーションを検出し、携帯電話機のマナーモード解除忘れを解決する携帯電話マナーモード検出装置に関するものである。
【背景技術】
【０００２】
携帯電話機にはマナーモードと呼ばれる動作モードがある。マナーモードは携帯電話機の着信を振動により通知する機能である。このマナーモードは、例えば会議中に携帯電話機の近くにいる人に耳障りな着信音を聴かせないという利点がある。しかし、その一方で、利用者がマナーモードから通常の着信音による通知の動作モードに切り替えるマナーモード解除操作を忘れることがあり、たとえば、仕事を終えて帰宅後に、携帯電話機をマナーモードのままの状態で部屋に放置すると、大事な着信を見逃すという問題があった。
【０００３】
こういった問題を解決するものとして、利用者がマナーモード設定時あるいはその後にマナーモードを解除する時刻を適宜に入力し、入力時刻経過後にマナーモードを解除する機能を有する携帯電話機がある。
（例えば、特許文献１を参照）
【０００４】
【特許文献１】特開２００６−２２９４４１
【発明の開示】
【発明が解決しようとする課題】
【０００５】
しかし、マナーモード解除時刻を設定する機能を有する携帯電話機であってもマナーモードを解除する時刻を入力する必要があり、マナーモード解除時刻の入力を忘れることがある。また、マナーモード解除操作を必要とする携帯電話機ではマナーモード解除操作を忘れることがある。
【０００６】
そこで、この発明の課題は、携帯電話機のマナーモード解除時刻の入力忘れ、あるいはマナーモード解除操作忘れを解決する携帯電話マナーモード検出装置を提供することを目的とする。
【０００７】
さらに、加速度センサーを用いて携帯電話機のバイブレーションを検出し、携帯電話機のマナーモード解除忘れを解決する携帯電話マナーモード検出装置を提供することを目的とする。
【課題を解決するための手段】
【０００８】
前記の問題点を解決するために、この発明では次に示す手段を取った。
【０００９】
本発明の携帯電話マナーモード検出装置は、
携帯電話機を設置部に設置することで携帯電話機のマナーモードを検出する携帯電話マナーモード検出装置であって、
加速度センサーと、
携帯電話機を設置部に設置した場合に前記加速度センサーの出力値から携帯電話機の振動を検出する振動検出手段と、
携帯電話機を設置部に設置した時の振動には反応せず、連続したバイブレーションの振動のみを検出して着信を検出する着信検出手段と、
着信を検出した場合にスピーカーから振動音で通知する着信通知手段とを備える。
【００１０】
また、本発明の前記携帯電話マナーモード検出装置において、
設定手段を更に備え、設定手段は、振動が発生したと判断するために用いる振動検出閾値と、振動音で通知を開始するかを判断するために用いる振動音開始閾値と、振動音を停止するかを判断するために用いる振動音停止閾値とを外部からそれぞれの閾値を変更可能にして設定する。
【００１１】
また、本発明の前記携帯電話マナーモード検出装置において、
前記設定手段は、スピーカーから出力する複数のメロディーの中から何れかのメロディーを外部から設定する。
【発明の効果】
【００１２】
この発明により、以下に示すような効果が期待できる。
【００１３】
本発明の携帯電話マナーモード検出装置によれば、携帯電話機を本発明の携帯電話マナーモード検出装置に設置するといった動作のみで、着信を検出した場合のみにスピーカーから着信があったことを通知することができ、携帯電話機をマナーモードの状態であっても確実に大事な着信を見逃すことをなくすることができる。
【００１４】
具体的には、たとえば、自宅での携帯電話機の置き場所に本発明の携帯電話マナーモード検出装置を設置しておく。仕事を終えて帰宅後に、この携帯電話マナーモード検出装置に携帯電話機を置く。もし、着信があれば、この携帯電話マナーモード検出装置が携帯電話機のバイブレーションを検出し、メロディーを鳴らして使用者に知らせる。従って、マナーモードの解除を忘れていても、着信を見逃すことがない。
【００１５】
また、本発明の携帯電話マナーモード検出装置によれば、各種の携帯電話機のマナーモードにおける着信を振動により通知する機能の特性の違いや、本発明の携帯電話マナーモード検出装置のマナーモード検出の特性のバラツキ等に対しても適宜に閾値を変更することで、確実に着信を検出した場合のみにスピーカーから着信があったことを使用者に通知することができる。
【００１６】
また、本発明の携帯電話マナーモード検出装置によれば、着信を検出した場合にスピーカーから出力する複数のメロディーの中から好みのメロディーを使用者が選択することができる。
【発明を実施するための最良の形態】
【００１７】
図１ないし図３に基づいて、この発明を実施するための最良の形態を説明する。
【００１８】
図２において、携帯電話マナーモード検出装置１は、設置部１ａを備えており、携帯電話機５を設置部１ａに設置することで、携帯電話機５のマナーモードを検出するものである。
【００１９】
図１は、この発明の実施の形態における携帯電話マナーモード検出装置の構成図である。図１において、携帯電話マナーモード検出装置１は、加速度センサー１１、制御部１２、設定部１３、スピーカ１４、電源１５、電源スイッチ１６からそれぞれ構成している。加速度センサー１１は設置部１ａに設置する携帯電話機５のバイブレーションに対応して加速度センサー１１の３軸（Ｘ軸、Ｙ軸、Ｚ軸）それぞれの信号を制御部１２に出力する。
【００２０】
制御部１２は、振動検出部２１、着信検出部２２、着信通知部２３をそれぞれ構成しており、振動検出部２１は、携帯電話機のバイブレーションを検出するもので、所定の短い時間間隔で加速度センサー１１の３軸（Ｘ軸、Ｙ軸、Ｚ軸）それぞれのセンサー出力の合計値を算出し、複数回分の合計値から平均値を算出する。着信検出部２２は、携帯電話機５を設置部１ａに設置した時の振動には反応せず、連続したバイブレーションの振動のみを検出するもので、予め設定されたある閾値を超えた場合に、バイブレーションの振動が発生したと判断する。着信通知部２３は、バイブレーションの検出後に、スピーカー１４からのメロディーで着信があったことを通知する。なお、制御部１２の詳細は図３で詳細に説明する。
【００２１】
設定部１３は、振動検出閾値、振動音開始閾値、振動音停止閾値、メロディーとを設定するものであり、外部からの操作で変更できるように、例えば操作スイッチなどでそれぞれ構成されている。
【００２２】
振動検出閾値は、予め設定されたある閾値を超えた場合に、バイブレーションの振動が発生したと判断するために用いる。振動音開始閾値は、スピーカー１４からのメロディーがＯＦＦの状態において、バイブレーションの検出後に、予め設定されたある閾値を超えた場合に、スピーカー１４からのメロディーを出力するか判断するために用いる。振動音停止閾値は、スピーカー１４からのメロディーがＯＮの状態において、バイブレーションの検出後に、予め設定されたある閾値を超えた場合に、スピーカー１４からのメロディーを出力するか判断するために用いる。
【００２３】
メロディーは、複数のメロディーが設定されており、着信を検出した場合にスピーカー１４から出力する複数のメロディーの中から何れかのメロディーを外部から設定する。
【００２４】
電源１５は、例えば単三電池などからなる。電源スイッチ１６は外部からの操作で電源１５のＯＮ／ＯＦＦ操作を行うものである。
【００２５】
図３は、この発明の実施の形態におけるフローチャートである。図３において、制御部１２の制御を説明する。
【００２６】
外部から電源スイッチ１６が操作されて電源１５が投入される（Ｓ０１）。振動検出部２１は、例えば、１ｍ秒毎に、加速度センサー１１の３軸（Ｘ軸、Ｙ軸、Ｚ軸）それぞれのセンサー出力の合計値を算出し、１０ｍ秒毎に、１０回分の平均値を算出する（Ｓ０２）。
【００２７】
次に、着信検出部２２は、センサ出力の平均値と振動検出閾値（例えば、振動検出閾値を２００に設定する）とを比較し（Ｓ０３）、センサ出力の平均値が振動検出閾値より大きければ、振動累積値に加算ポイント（例えば、加算ポイントを１０とする）をプラスする（Ｓ０４）。または、センサ出力の平均値が振動検出閾値より小さければ、振動累積値に減算ポイント（例えば、減算ポイントを５とする）をマイナスする（Ｓ０５）。
【００２８】
次に、着信通知部２３は、スピーカー１４からのメロディーの出力状態が、ＯＦＦ状態かＯＮ状態かを判断する（Ｓ０６）。メロディーＯＦＦ状態の時は、振動累積値と振動音開始閾値（例えば、振動音開始閾値を４００に設定する）とを比較する（Ｓ０７）。振動累積値が振動音開始閾値より大きければ、メロディーをＯＮする（Ｓ０８）。または、振動累積値が振動音開始閾値より小さければ、メロディーをＯＦＦする（Ｓ０９）。
【００２９】
また、先のステップＳ０６でメロディーＯＮ状態の時は、振動累積値と振動音停止閾値（例えば、振動音停止閾値を１００に設定する）とを比較する（Ｓ１０）。振動累積値が振動音停止閾値より大きければ、メロディーをＯＮする（Ｓ１１）。または、振動累積値が振動音停止閾値より小さければ、メロディーをＯＦＦする（Ｓ１２）。
【００３０】
次に、制御部１２は電源１５がＯＦＦ状態かＯＮ状態かを判断し、電源１５がＯＮ状態であれば、ステップＳ０２に戻り、電源１５がＯＦＦ状態であれば、処理を終了する。
【産業上の利用可能性】
【００３１】
以上のように、本発明に係る携帯電話マナーモード検出装置は、産業上の多くの分野、特に一般に普及している携帯電話機をマナーモードの状態で、かつ携帯電話機を携帯していない状態にあっても確実に大事な着信を見逃すことをなくすることができる携帯電話マナーモード検出に極めて有用である。
【図面の簡単な説明】
【００３２】
【図１】この発明の実施の形態における携帯電話マナーモード検出装置及び携帯電話機の外観を示す斜視図である。
【図２】この発明の実施の形態における携帯電話マナーモード検出装置の構成図である。
【図３】この発明の実施の形態におけるフローチャートである。
【符号の説明】
【００３３】
１：携帯電話マナーモード検出装置
１ａ：設置部
５：携帯電話機
１１：加速度センサー
１２：制御部
１３：設定部
１４：スピーカ
１５：電源
１６：電源スイッチ
２１：振動検出部
２２：着信検出部
２３：着信通知部
【図１】
2008300896.tif 000003
【図２】
2008300896.tif 000004
【図３】
2008300896.tif 000005